【誤訳訂正書】
【提出日】平成29年1月30日(2017.1.30)
【誤訳訂正１】
【訂正対象書類名】特許請求の範囲
【訂正対象項目名】全文
【訂正方法】変更
【訂正の内容】
【特許請求の範囲】
【請求項１】
画素ブロックを符号化するビデオ符号化方法であって、
前記画素ブロック、および、予測モードに従って決定された予測ブロックから残差ブロックを計算することと、
１組の基底関数により規定される変換で、前記残差ブロックを係数ブロックに変換することと、
前記係数ブロックを符号化することと、を含み、
前記ビデオ符号化方法は、前記残差ブロックを変換することの前に、
前記画素ブロックの因果的近傍において、前記予測ブロックを決定するために用いられた前記予測モードと同じ予測モードに従って残差を計算することと、
前記基底関数を再同相化することを含み、
前記残差ブロックを係数ブロックに変換することは、再同相化された前記基底関数を使用し、
前記基底関数を再同相化することは、計算された前記残差の位相に前記基底関数の位相が近づくように、計算された前記残差に基づいて前記基底関数を調整する、
前記ビデオ符号化方法。
【請求項２】
前記変換は分離可能であり、前記１組の基底関数は、水平基底関数および垂直基底関数を含み、前記基底関数を再同相化することは、
前記水平基底関数を再同相化することと、
前記垂直基底関数を再同相化することと、を含む、請求項１記載のビデオ符号化方法。
【請求項３】
前記水平基底関数を再同相化することは、
ａ）前記画素ブロックの前記因果的近傍の少なくとも１つの残差行を、前記水平基底関数で、複数の係数に変換することと、
ｂ）前記複数の係数のうち最も大きい振幅の係数を決定することと、
ｃ）決定された前記係数に対応する水平基底関数を特定することと、
ｄ）特定された前記水平基底関数と前記残差行との間の水平空間シフトを決定することと、
ｅ）前記決定された水平空間シフトを用いて、前記水平基底関数を再同相化することと、
を含み、
前記垂直基底関数を再同相化することは、前記画素ブロックの前記因果的近傍の少なくとも１つの残差列に垂直にａ）からｅ）を適用して、前記垂直基底関数を、ｄ）で決定された垂直空間シフトを用いて再同相化することを含む、請求項２記載のビデオ符号化方法。
【請求項４】
ビデオ復号化方法であって、
係数ブロックを復号化することと、
１組の基底関数により規定される変換で、前記係数ブロックを残差ブロックに変換することと、
前記残差ブロック、および予測モードに従って決定された予測ブロックから画素ブロックを再構成することと、を含み、
前記ビデオ復号化方法は、前記係数ブロックを変換することの前に、
前記画素ブロックの因果的近傍において、前記予測ブロックを決定するために用いられた前記予測モードと同じ予測モードに従って残差を計算することと、
前記基底関数を再同相化することを含み、
前記係数ブロックを残差ブロックに変換することは、再同相化された前記基底関数を使用し、
前記基底関数を再同相化することは、計算された前記残差の位相に前記基底関数の位相が近づくように、計算された前記残差に基づいて前記基底関数を調整する、
前記ビデオ復号化方法。
【請求項５】
前記変換は分離可能であり、前記１組の基底関数は、水平基底関数と垂直基底関数を含み、前記基底関数を再同相化することは、
前記水平基底関数を再同相化することと、
前記垂直基底関数を再同相化することと、を含む、請求項４記載のビデオ復号化方法。
【請求項６】
前記水平基底関数を再同相化することは、
ａ）前記画素ブロックの前記因果的近傍の少なくとも１つの残差行を、前記水平基底関数で、複数の係数に変換することと、
ｂ）前記複数の係数のうち最も大きい振幅の係数を決定することと、
ｃ）決定された前記係数に対応する水平基底関数を特定することと、
ｄ）特定された前記水平基底関数と前記残差行との間の水平空間シフトを決定することと、
ｅ）決定された前記水平空間シフトを用いて、前記水平基底関数を再同相化することと、を含み、
前記垂直基底関数を再同相化することは、前記画素ブロックの前記因果的近傍の少なくとも１つの残差列に垂直にａ）からｅ）を適用して、ｄ）で決定された垂直空間シフトを用いて、前記垂直基底関数を再同相化することを含む、請求項５記載のビデオ復号化方法。
【請求項７】
画素ブロックを符号化するビデオ符号化装置であって、
前記画素ブロック、および予測モードに従って決定された予測ブロックから残差ブロックを計算するように構成されたモジュールと、
１組の基底関数により規定される変換で、前記残差ブロックを係数ブロックに変換するように構成されたモジュールと、
前記係数ブロックを符号化するように構成されたモジュールと、
前記画素ブロックの因果的近傍において、前記予測ブロックを決定するために用いられた前記予測モードと同じ予測モードに従って残差を計算するように構成されたモジュールと、
前記基底関数を再同相化するように構成されたモジュールと、
を含み、
前記残差ブロックを係数ブロックに変換するように構成されたモジュールは、前記再同相化された基底関数を使用し、
前記基底関数を再同相化することは、計算された前記残差の位相に前記基底関数の位相が近づくように、計算された前記残差に基づいて前記基底関数を調整する、
前記ビデオ符号化装置。
【請求項８】
前記１組の基底関数は、水平基底関数および垂直基底関数を含み、前記基底関数を再同相化するように構成されたモジュールは、
前記水平基底関数を再同相化し、
前記垂直基底関数を再同相化する、ようにさらに構成される、請求項７記載のビデオ符号化装置。
【請求項９】
前記水平基底関数を再同相化するように構成されたモジュールは、
ａ）前記画素ブロックの前記因果的近傍の少なくとも１つの残差行を、前記水平基底関数で、複数の係数に変換し、
ｂ）前記複数の係数のうち最も大きい振幅の係数を決定し、
ｃ）決定された前記係数に対応する水平基底関数を特定し、
ｄ）特定された前記水平基底関数と前記残差行との間の水平空間シフトを決定し、
ｅ）前記決定された水平空間シフトを用いて、前記水平基底関数を再同相化する、ようにさらに構成され、
前記垂直基底関数を再同相化するように構成されたモジュールは、前記画素ブロックの前記因果的近傍の少なくとも１つの残差列に垂直にａ）からｅ）を適用して、前記垂直基底関数を、ｄ）で決定された垂直空間シフトを用いて再同相化するように構成される、請求項８記載のビデオ符号化装置。
【請求項１０】
ビデオ復号化装置であって、
係数ブロックを復号化するように構成されたモジュールと、
１組の基底関数により規定される変換で、前記係数ブロックを残差ブロックに変換するように構成されたモジュールと、
前記残差ブロック、および予測モードに従って決定された予測ブロックから画素ブロックを再構成するように構成されたモジュールと、
前記画素ブロックの因果的近傍において、前記予測ブロックを決定するために用いられた前記予測モードと同じ予測モードに従って残差を計算するように構成されたモジュールと、
前記基底関数を再同相化するように構成されたモジュールと、
を含み、
前記係数ブロックを残差ブロックに変換する手段は、再同相化された前記基底関数を使用し、
前記基底関数を再同相化することは、計算された前記残差の位相に前記基底関数の位相が近づくように、計算された前記残差に基づいて前記基底関数を調整する、
前記ビデオ復号化装置。
【請求項１１】
前記１組の基底関数は、水平基底関数と垂直基底関数を含み、前記基底関数を再同相化するように構成されたモジュールは、
前記水平基底関数を再同相化し、
前記垂直基底関数を再同相化する、ようにさらに構成される、請求項１０記載のビデオ復号化装置。
【請求項１２】
前記水平基底関数を再同相化するように構成されたモジュールは、
ａ）前記画素ブロックの前記因果的近傍の少なくとも１つの残差行を、前記水平基底関数で、複数の係数に変換し、
ｂ）前記複数の係数のうち最も大きい振幅の係数を決定し、
ｃ）決定された前記係数に対応する水平基底関数を特定し、
ｄ）特定された前記水平基底関数と前記残差行との間の水平空間シフトを決定し、
ｅ）決定された前記水平空間シフトを用いて、前記水平基底関数を再同相化する、ようにさらに構成され、
前記垂直基底関数を再同相化するように構成されたモジュールは、前記画素ブロックの前記因果的近傍の少なくとも１つの残差列に垂直にａ）からｅ）を適用して、ｄ）で決定された垂直空間シフトを用いて、前記垂直基底関数を再同相化するようにさらに構成される、請求項１１記載のビデオ復号化装置。